(57)【特許請求の範囲】
【請求項１】
軟包材を使用して密封シールされ、その密封シールの一部に電子レンジ加熱により開口するイージーピール機能を有する蒸気抜き開口用密封シール部を備えた平袋状の電子レンジ加熱用密封包装袋Ａを収納包装する正面板、裏面板、上面板、底面板、２つの側面板からなる偏平直方体状の箱体Ｂからなる電子レンジ加熱用密封包装袋包装用箱であって、前記箱体Ｂの上面板に正面板との境界から裏面板との境界に亘って連続対向して設けた二本の開封用切目線Ｐと、その上面板と正面板との境界に沿って前記開封用切目線Ｐの対向外側に連続して設けた開封用切目線Ｒと、その上面板と裏面板との境界に沿って前記開封用切目線Ｐに連続して設けた開封用切目線Ｑとにより開封可能な開封蓋板Ｃを備え、該開封用切目線Ｐ、Ｒ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱。
【請求項２】
請求項１記載の電子レンジ加熱用密封包装袋包装用箱において、前記箱体Ｂの上面板に正面板との境界から裏面板との境界に亘って連続対向して設けた二本の開封用切目線Ｐと、その上面板と正面板との境界に沿って前記開封用切目線Ｐの対向外側に連続して設けた開封用切目線Ｒと、その上面板寄りの裏面板領域に前記開封用切目線Ｐに連続して設けた開封用切目線Ｑとにより開封可能な開封蓋板Ｃを備え、該開封用切目線Ｐ、Ｒ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱。
【請求項３】
軟包材を使用して密封シールされ、その密封シールの一部に電子レンジ加熱により開口するイージーピール機能を有する蒸気抜き開口用密封シール部を備えた平袋状の電子レンジ加熱用密封包装袋Ａを収納包装する正面板、裏面板、上面板、底面板、２つの側面板からなる偏平直方体状の箱体Ｂからなる電子レンジ加熱用密封包装袋包装用箱であって、該箱体Ｂの少なくとも正面板の上面板寄り領域から、その上面板までに亘って連続対向する二本の開封用切目線Ｐと、その上面板と裏面板との境界に沿って前記開封用切目線Ｐに連続して設けた開封用切目線Ｑとにより開封可能な開封蓋板Ｃを備え、該開封用切目線Ｐ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱。
【請求項４】
請求項３記載の電子レンジ加熱用密封包装袋包装用箱において、前記箱体Ｂの少なくとも正面板の上面板寄り領域から、その上面板までに亘って連続対向して設けた二本の開封用切目線Ｐと、その上面板寄りの裏面板に前記開封用切目線Ｐに連続して設けた開封用切目線Ｑとにより開封可能な開封蓋板Ｃを備え、該開封用切目線Ｐ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱。
【発明の詳細な説明】
【技術分野】
【０００１】
本発明は、電子レンジ加熱用の食品等を密封包装した密封包装袋を収納包装した状態で電子レンジにて加熱するための電子レンジ加熱用密封包装袋包装用箱に関する。
【背景技術】
【０００２】
従来より、電子レンジ加熱調理用の食品を密封包装した柔軟な合成樹脂フィルムや複合フィルムにより形成された軟包材シート製の電子レンジ加熱用の密封包装袋がある。
【０００３】
従来、調味料などの液体や水分を含んだ食品を密封包装した電子レンジ加熱用の密封包装袋は、食品を包装袋から出すことなく、そのままの状態で電子レンジで高周波にて加熱調理をするものであるが、袋内に加熱により調味液や食品から発生した蒸気が飽和して袋が急激に膨張する。
【０００４】
そのため、密封包装袋の不特定個所が破壊され易く、生魚など内容物を調味液と共に調理することを目的とした場合は、調味液が外部にこぼれてしまったり、あるいは袋の急激な膨張による電子レンジ内での破裂の危険が生じる。
【０００５】
そこで、加熱により袋内に調味液や食品から発生した蒸気により密封包装袋の内圧が高くなると、その包装袋の密封シール部の一部の特定個所に易剥離性（イージーピール性）を付与した蒸気抜き用開口部が内圧によって剥離して、蒸気抜きのための開口部を形成するようにしたものがある。例えば、特許文献１に記載するような電子レンジ用食品包装袋があり、これは図１３に示すように、例えばポリオレフィン系フィルムを主体とする多層構成の軟包材１１を使用した平袋状の密封包装袋Ａであり、その底端部を密封シールしたボトムシール部１３と、左右両側端部を密封シールしたサイドシール部１５、１５を備え、上部開口部１４より内容物を充填するようにした密封包装袋がある。その密封包装袋は、一方の側端部に形成されたサイドシール部１５の一部に、製袋用シーラント層にシール幅の狭い個所（蒸気による内圧にて剥離開口する開口用シール部１５ａ、未シール部１５ｂ）を付与してイージーピール機能を設け、袋内の水蒸気圧によってその個所を破壊して、水蒸気を外部に放出させる機能を付与したものである。
【０００６】
また、特定個所にイージーピール性を付与した電子レンジ用食品包装袋としては、特許文献２や特許文献３に記載するように、外装用の偏平な箱体に収納包装した電子レンジ加熱包装体がある。この電子レンジ加熱包装体は、偏平な箱体の所定位置を切り破り、箱体を部分的に開封した後、イージーピール機能を備えた包装袋を収納した状態で電子レンジ内に入れて加熱する形式のものである。
【０００７】
これは電子レンジ内にて、イージーピール機能を備えた包装袋から箱体に収納した状態で水蒸気を放出させるため、包装袋から放出された蒸気は、箱体の開封口部からそのまま放出されることになり、調味液を含む食品など加熱する内容物によっては、蒸気の放出や飛散により、箱体内や開封口部あるいは電子レンジ内を汚損することがある。
【０００８】
以下に本願の先行技術文献を記載する。
【特許文献１】特開平１１−２７８５５７号公報
【特許文献２】特許第３４６３２９６号公報
【特許文献３】特許第３５６０８６２号公報
【発明の開示】
【発明が解決しようとする課題】
【０００９】
本発明は、電子レンジ加熱用の食品等を密封包装したイージーピール機能を備えた密封包装袋を収納包装した電子レンジにて加熱するための電子レンジ加熱用密封包装袋包装用箱であって、箱体に収納した状態でイージーピール機能を備えた包装袋から水蒸気を放出させても、包装袋から放出した蒸気の放出や飛散によって、箱体内や開封口部あるいは電子レンジ内を汚損することがないようにすることにある。
【課題を解決するための手段】
【００１０】
本発明の請求項１に係る発明は、図１（ａ）、図２（ａ）に示すように、軟包材を使用して密封シールされ、その密封シールの一部に電子レンジ加熱により開口するイージーピール機能を有する蒸気抜き開口用密封シール部を備えた平袋状の電子レンジ加熱用密封包装袋Ａを収納包装する正面板、裏面板、上面板、底面板、２つの側面板からなる偏平直方体状の箱体Ｂからなる電子レンジ加熱用密封包装袋包装用箱であって、前記箱体Ｂの上面板に正面板との境界から裏面板との境界に亘って連続対向して設けた二本の開封用切目線Ｐと、その上面板と正面板との境界に沿って前記開封用切目線Ｐの対向外側に連続して設けた開封用切目線Ｒと、その上面板と裏面板との境界に沿って前記開封用切目線Ｐに連続して設けた開封用切目線Ｑとにより開封可能な開封蓋板Ｃを備え、該開封用切目線Ｐ、Ｒ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱である。
【００１１】
本発明の請求項２に係る発明は、図１（ｂ）、図２（ａ）に示すように、上記請求項１に係る電子レンジ加熱用密封包装袋包装用箱において、前記箱体Ｂの上面板に正面板との境界から裏面板との境界に亘って連続対向して設けた二本の開封用切目線Ｐと、その上面板と正面板との境界に沿って前記開封用切目線Ｐの対向外側に連続して設けた開封用切目線Ｒと、その上面板寄りの裏面板領域に前記開封用切目線Ｐに連続して設けた開封用切目線Ｑとにより開封可能な開封蓋板Ｃを備え、該開封用切目線Ｐ、Ｒ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱である。
【００１２】
本発明の請求項３に係る発明は、図３（ａ）、図４（ａ）に示すように、軟包材を使用して密封シールされ、その密封シールの一部に電子レンジ加熱により開口するイージーピール機能を有する蒸気抜き開口用密封シール部を備えた平袋状の電子レンジ加熱用密封包装袋Ａを収納包装する正面板、裏面板、上面板、底面板、２つの側面板からなる偏平直方体状の箱体Ｂからなる電子レンジ加熱用密封包装袋包装用箱であって、該箱体Ｂの少なくとも正面板の上面板寄り領域から、その上面板までに亘って連続対向する二本の開封用切目線Ｐと、その上面板と裏面板との境界に沿って前記開封用切目線Ｐに連続して設けた開封用切目線Ｑとにより開封可能な開封蓋板Ｃを備え、該開封用切目線Ｐ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱である。
【００１３】
本発明の請求項４に係る発明は、図３（ｂ）、図４（ａ）に示すように、上記請求項３に係る電子レンジ加熱用密封包装袋包装用箱において、前記箱体Ｂの少なくとも正面板の上面板寄り領域から、その上面板までに亘って連続対向して設けた二本の開封用切目線Ｐ
と、その上面板寄りの裏面板に前記開封用切目線Ｐに連続して設けた開封用切目線Ｑとにより開封可能な開封蓋板Ｃを備え、該開封用切目線Ｐ、Ｑに沿って切り離されて開封される前記開封蓋板Ｃにより、電子レンジの加熱による前記密封包装袋Ａの蒸気抜き開口用密封シール部の開口により噴出する蒸気の箱体Ｂ外側への放出、飛散を抑制するようにしたことを特徴とする電子レンジ加熱用密封包装袋包装用箱である。
【発明の効果】
【００１４】
本発明の電子レンジ加熱用密封包装袋包装用箱は、平袋状の電子レンジ加熱用密封包装袋Ａを収納包装した箱体Ｂの開封蓋板Ｃを開封用切目線により半開きの状態にて開封し、包装袋Ａを箱体Ｂ内に収納した状態で、電子レンジにて加熱することにより、電子レンジにより箱体Ｂ内にて加熱された密封包装袋Ａの蒸気抜き開口用密封シール部の開口により噴出する蒸気ａを、開封した箱体Ｂの開封蓋板Ｃに当てることができる。そのために、蒸気ａが包装袋Ａの蒸気抜き開口用密封シール部から、直接、箱体Ｂの外側へ放出、飛散することを抑制することができるものである。
【００１５】
そのため、電子レンジ加熱用の食品等を密封包装したイージーピール機能を備えた密封包装袋Ａを箱体Ｂ内に収納した状態で電子レンジにて加熱しても、箱体Ｂに収納した電子レンジ加熱用包装袋Ａから放出する蒸気や内容物の飛散によって、箱体の開封外側部分や箱体外側の電子レンジ内などを汚損することを回避することができる。
【発明を実施するための最良の形態】
【００１６】
本発明の電子レンジ加熱用密封包装袋包装用箱を以下に詳細に説明すれば、図１（ａ）〜（ｂ）は本発明の一実施の形態を説明する側断面図、図２（ａ）〜（ｂ）はその全体斜視図である。
【００１７】
本発明の請求項１に係る電子レンジ加熱用密封包装袋包装用箱は、図１（ａ）に示すように、ポリエチレンフィルムやポリエチレンテレフタレートフィルム、ガスバリア性の無機酸化物蒸着フィルム等の合成樹脂フィルムや、これらを積層した積層フィルム、あるいはこれら合成樹脂フィルムに紙シートなどを積層した複合フィルムによる軟包材１１を使用して、調味液を含む食品等の内容物が密封シール部１５にて密封シールされ、その密封シール部１５の一部に電子レンジ加熱により開口するイージーピール機能を有する蒸気抜き開口用密封シール部１６を備えた電子レンジ加熱用の偏平状の密封包装袋Ａと、該包装袋Ａを収納包装する偏平直方体状の箱体Ｂとから構成される。
【００１８】
偏平直方体状の箱体Ｂは、図１（ａ）及び図２（ａ）に示すように、正面板１と、該正面板１と対向する裏面板３と、上面板８、１０と対向する底面板５、７と、２つの側面板２、２とからなる。
【００１９】
前記箱体Ｂの上面板８、１０には、正面板１との境界から裏面板３との境界に亘って連続対向して設けた二本の開封用切目線Ｐが形成され、その上面板８、１０と、正面板１との境界に沿って、前記開封用切目線Ｐの対向外側に連続して開封用切目線Ｒが形成され、また必要に応じて前記開封用切目線Ｐの対向内側にも途中まで切目線Ｒ1 、Ｒ1 が形成され、その上面板と裏面板との境界に沿って前記開封用切目線Ｐに連続して開封用切目線Ｑが形成されていて、この開封用切目線Ｐ、Ｑにより開封可能な開封蓋板８ａ、１０ａからなる開封蓋板Ｃと開封用切目線Ｒにより開封可能な上面板８、１０とを備えている。
【００２０】
上記電子レンジ加熱用密封包装袋包装用箱は、図１（ｂ）及び図２（ｂ）に示すように前記開封用切目線Ｐ、Ｑに沿って上面板８、１０を切り破ることにより、箱体Ｂの開封蓋板Ｃ（８ａ、１０ａ）を外側に開封することができ、開封用切目線Ｒに沿って正面板１と上面板８、１０との境界を切り破ることにより箱体Ｂの上面板８、１０を外側に開くこと
ができる。
【００２１】
そして、上記電子レンジ加熱用密封包装袋包装用箱は、図１（ｂ）及び図２（ｂ）に示すように、前記箱体Ｂの開封蓋板Ｃと上面板８、１０が、外側に半開きの状態で開いた状態にて電子レンジ内に入れて、密封包装袋Ａをレンジ加熱するものである。
【００２２】
電子レンジの加熱により前記密封包装袋Ａ内の内容物が加熱され、図１（ｂ）に示すように、包装袋Ａは内圧が掛かかるとともに、膨張して、箱体Ｂの正面板１を押し上げ、又は正面板１を押し上げるとともに裏面板３を押し下げ、正面板１と裏面板３は緊張して箱体Ｂの開封蓋板Ｃと上面板８、１０の外側への半開き状態を保持する。そして、包装袋Ａは内圧により蒸気抜き開口用密封シール部１６が開口して、その開口部より蒸気ａが噴出する。その際に箱体Ｂの開封蓋板Ｃと上面板８、１０が、箱体Ｂ外側への蒸気ａの放出、飛散を抑制するものである。なお、上面板８、１０と正面板１との境界に沿って前記開封用切目線Ｐの対向内側に形成した切目線Ｒ1 、Ｒ1 を設けることにより、包装袋Ａの膨張により正面板１と裏面板３が緊張しても、箱体Ｂの開封蓋板Ｃは、外側への下向き半開き状態を保持することができる。
【００２３】
なお、上記電子レンジ加熱用密封包装袋包装用箱においては、請求項２に係る包装用箱の箱体Ｂとして、例えば、図２（ａ）に示すように、その上面板８、１０寄りの裏面板３の領域に前記開封用切目線Ｐに連続して開封用切目線Ｑを設けてもよい。これにより、図１（ｂ）及び図２（ｂ）に示すようにこの開封用切目線Ｐ、Ｑに沿って上面板８、１０を切り破ることにより、箱体Ｂの開封蓋板Ｃ（３ａ、８ａ、１０ａ）を外側に開封することができ、また開封用切目線Ｒに沿って正面板１と上面板８、１０との境界を切り破ることにより、箱体Ｂの上面板８、１０を外側に開くことができる。
【００２４】
本発明の請求項３に係る電子レンジ加熱用密封包装袋包装用箱は、図１（ａ）に示す請求項１に係る包装用箱と同様に、図３（ａ）に示すように、ポリエチレンフィルムやポリエチレンテレフタレートフィルム、ガスバリア性の無機酸化物蒸着フィルム等の合成樹脂フィルムや、これらを積層した積層フィルム、あるいはこれら合成樹脂フィルムに紙シートなどを積層した複合フィルムによる軟包材１１を使用している。
【００２５】
そして、調味液を含む食品等の内容物が密封シール部１５にて密封シールされ、その密封シール部１５の一部に電子レンジ加熱により開口するイージーピール機能を有する蒸気抜き開口用密封シール部１６を備えた電子レンジ加熱用の偏平状の密封包装袋Ａと、該包装袋Ａを収納包装する偏平直方体状の箱体Ｂとから構成される。
【００２６】
偏平直方体状の箱体Ｂは、図３（ａ）及び図４（ａ）に示すように、正面板１と、該正面板１と対向する裏面板３と、上面板８、１０と対向する底面板５、７と、２つの側面板２、２とからなる。
【００２７】
前記箱体Ｂの正面板１の上面板８、１０寄り領域から、その上面板８、１０までに亘って連続対向する二本の開封用切目線Ｐが形成され、その上面板８、１０と裏面板３との境界に沿って、前記開封用切目線Ｐに連続して設けた開封用切目線Ｑが形成されていて、この開封用切目線Ｐ、Ｑにより開封可能な開封蓋板８ａ、１０ａからなる開封蓋板Ｃを備えている。
【００２８】
なお、前記正面板１に形成された二本の開封用切目線Ｐ、Ｐの対向間隔は、同一で平行であってもよいし、上面板８、１０から離反する程広がる、末広がりであってもよい。また、それぞれ切目線Ｐ、Ｐの末端は正面板１と側面板２との境界まで延びていてもよい。また、開封蓋板Ｃを折り曲げるために、その切目線Ｐ、Ｐの末端を結ぶ折目線ｊが上面板
８、１０に平行に設けられていてもよい。
【００２９】
上記電子レンジ加熱用密封包装袋包装用箱は、図３（ｂ）及び図４（ｂ）に示すように前記開封用切目線Ｐ、Ｑに沿って、上面板８、１０、及び正面板１を切り破ることにより箱体Ｂの開封蓋板Ｃ（８ａ、１０ａ、１ａ）を外側に開封することができる。
【００３０】
そして、上記電子レンジ加熱用密封包装袋包装用箱は、図３（ｂ）及び図４（ｂ）に示すように、該開封蓋板Ｃの斜め上方への折り上げ開封により、前記箱体Ｂの開封蓋板Ｃが外側に半開きの状態で開いた状態にて電子レンジ内に入れて、密封包装袋Ａをレンジ加熱するものである。
【００３１】
電子レンジの加熱により前記密封包装袋Ａ内の内容物が加熱され、図３（ｂ）に示すように、包装袋Ａは内圧が掛かかるとともに、膨張して、箱体Ｂの正面板１を押し上げ、又は正面板１を押し上げるとともに裏面板３を押し下げ、正面板１と裏面板３は緊張して箱体Ｂの開封蓋板Ｃの外側への半開き状態を保持する。そして、包装袋Ａは内圧により蒸気抜き開口用密封シール部１６が開口して、その開口部より蒸気ａが噴出する。その際に箱体Ｂの開封蓋板Ｃが、箱体Ｂ外側への蒸気ａの放出、飛散を抑制するものである。
【００３２】
なお、上記電子レンジ加熱用密封包装袋包装用箱においては、請求項４に係る包装用箱の箱体Ｂとして、例えば、図４（ａ）に示すように、その上面板８、１０寄りの裏面板３の領域に前記開封用切目線Ｐに連続して開封用切目線Ｑを設けてもよい。これにより、図３（ｂ）及び図４（ｂ）に示すように、この開封用切目線Ｐ、Ｑに沿って切り破ることにより、箱体Ｂの開封蓋板Ｃ（３ａ、８ａ、１０ａ）を外側に開封することができる。
【００３３】
本発明の電子レンジ加熱用密封包装袋包装用箱の箱板Ｂ内に収納包装するための電子レンジ加熱用の密封包装袋Ａの構造や形態については、図１（ａ）、図２（ａ）に示すように、蒸気抜き開口用密封シールが施された電子レンジ加熱用密封袋Ａが、箱体Ｂ内に、その蒸気抜き開口用密封シール部１６の蒸気抜き開口方向を、該箱体Ｂの上面板８、１０の方向に向けて収納包装できるような構造、形態であって、且つ電子レンジ内に正面板１を上に、裏面板３を下にして、水平に載置される偏平状の箱体Ｂ内に収納されている偏平状の密封袋Ａ内に密封包装されている内容物が溢れない程度に、蒸気抜き開口用密封シール部１６が正面板１に近い側に配置されて収納包装できるような構造、形態であれば、本発明においては特に限定されるものではない。図５（ａ）は、本発明の電子レンジ加熱用密封包装袋包装用箱の箱体Ｂ内に収納包装するための偏平状の密封包装袋Ａの一例を説明する側断面図であり、（ｂ）はその平面図である。
【実施例】
【００３４】
本発明の電子レンジ加熱用密封包装袋包装用箱及び使用する箱体について、その具体的実施例を以下に説明する。
【００３５】
＜実施例１＞
図６は、本発明における箱体Ｂの組み立て用ブランクシートの実施例１における展開図であり、正面板１と該正面板１の両端に各々側面板２、２と、一方の該側面板２の一端に裏面板３と、該裏面板３の一端に貼着板４とが、折目ａ、ａ、ｂ、ｂを介してそれぞれ連設されている。前記正面板１、裏面板３の各々下端に、折目ｃ、ｃを介してそれぞれ底面板５、７と、その各々上端に、折目ｄ、ｄを介してそれぞれ上面板８、１０と、各々側面板２、２の各々下端に、折目ｅ、ｅを介してそれぞれ底部フラップ板６、６と、その各々上端に、折目ｆ、ｆを介してそれぞれ上部フラップ板９、９とが連設されている。
【００３６】
図６に示す箱体Ｂのブランクシートにおいて、前記正面板１、各々側面板２、２、裏面
板３、貼着板４を、各折目を介して同一方向に折り曲げ、最外端にある側面板２と貼着板４とを重ね合わせ貼着する。このようにして形成される四角形偏平筒状体の前記下部フラップ板６、６と上部フラップ板９、９とを、各折目ｅ、ｆを介して筒状体の内側に折り込む。その後、それぞれ底面板５、７と、上面板８、１０とを、各折目ｃ、ｄを介して筒状体の内側に折り込み、前記底面板５、７の重ね合わせ面と、前記上面板８、１０の重ね合わせ面を貼着することにより、図２（ａ）に示すような偏平矩形状の箱体Ｂが組み立てられる。
【００３７】
このようにして、図６に示す箱体Ｂのブランクシートから組み立てられた図２（ａ）に示す偏平矩形状の箱体Ｂには、図６に示すように、前記上面板８の上端縁の適宜なる二点ｇ、ｇと、該上面板８を連設する折目ｄ上の適宜なる二点ｈ、ｈとを結ぶ二本の対向する開封用切目線ｋ1 による切目線Ｐと、前記二点ｈ、ｈより折目ｄに沿って二本の開封用切目線ｋ1 の対向外側に二本の開封用切目線ｋ2 による切目線Ｒと、また必要に応じて前記二本の開封用切目線ｋ1 の対向内側にも途中まで切目線Ｒ1 と、前記二本の開封用切目線ｋ1 と整合する前記上面板１０の上端縁の二点ｍ、ｍと折目ｄ上の二点ｎ、ｎとを結ぶ開封用切目線ｏ1 、ｏ1 による切目線Ｐと、前記二点ｎ、ｎを結ぶ開封用切目線ｏ2 による切目線Ｑとが設けられている。
【００３８】
そして、該箱体Ｂ内には、図１（ａ）、図２（ａ）に示すように、蒸気抜き開口用密封シールが施された電子レンジ加熱用密封袋Ａが、その蒸気抜き開口用密封シール部１６の蒸気抜き開口方向を、該箱体Ｂの上面板８、１０の方向に向けて封入されている。
【００３９】
電子レンジにて加熱する際には、該箱体Ｂの開封用切目線ｏ2 による切目線Ｑと、整合した二本の開封用切目線ｋ1 、ｏ1 による切目線Ｐを切り破り、開封蓋板１０ａ、８ａによる開封蓋板Ｃを切り破り、二本の開封用切目線ｋ2 、ｋ2 による切目線Ｒを切り破り、図１（ｂ）、図２（ｂ）に示すように、開封蓋板Ｃと上面板８、１０とを半開きに開封して、電子レンジ内に装填する。
【００４０】
電子レンジによる加熱により前記密封袋Ａは、その内圧により膨張するとともに、蒸気抜き開口用密封シール部１６が開口して、該シール部１６から蒸気ａが噴出する。その際に、蒸気ａは開封蓋板Ｃ（１０ａ、８ａ）に当たり、箱体Ｂの開封部分より外側に放出、飛散する蒸気ａの勢いが抑制される。
【００４１】
＜実施例２＞
図７は、本発明における箱体Ｂの組み立て用ブランクシートの実施例２における展開図であり、図６に示した上記実施例１における箱体Ｂの組み立て用ブランクシートの前記折目ｄ上の二点ｎ、ｎを結ぶ開封用切目線ｏ2 による切目線Ｑが、二点ｎ、ｎから裏面板３の上端部寄り領域に亘って形成されていて、開封蓋板Ｃが開封蓋板１０ａ、８ａ、３ａによるものとなっているものであって、それ以外は、上記実施例１と同様である。
【００４２】
＜実施例３＞
図８は、本発明における箱体Ｂの組み立て用ブランクシートの実施例３における展開図であり、正面板１と該正面板１の両端に各々側面板２、２と、一方の該側面板２の一端に裏面板３と、該裏面板３の一端に貼着板４とが折目ａ、ａ、ｂ、ｂを介してそれぞれ連設されている。前記正面板１、裏面板３の各々下端に、折目ｃ、ｃを介して、それぞれ底面板５、７と、その各々上端に、折目ｄ、ｄを介してそれぞれ上面板８、１０と、各々側面板２、２の各々下端に、折目ｅ、ｅを介してそれぞれ底部フラップ板６、６と、その各々上端に、折目ｆ、ｆを介して、それぞれ上部フラップ板９、９とが連設されている。
【００４３】
正面板１、各々側面板２、２、裏面板３、貼着板４を、各折目を介して同一方向に折り
曲げ、最外端にある側面板２と貼着板４とを重ね合わせ貼着して、四角形偏平筒状体が形成される。該四角形偏平筒状体の前記下部フラップ板６、６と上部フラップ板９、９とを各折目ｅ、ｆを介して筒状体の内側に折り込んだ後、それぞれ底面板５、７と上面板８、１０とを各折目ｃ、ｄを介して筒状体の内側に折り込み、前記底面板５、７の重ね合わせ面と、前記上面板８、１０の重ね合わせ面を貼着して、図９（ａ）に示すような偏平矩形状の箱体Ｂが組み立てられる。
【００４４】
組み立てられた箱体Ｂは、図９（ａ）、図８に示すように、前記正面板１に、上面板８を連設する折目ｄ上の適宜なる二点ｈ、ｈを結ぶ開封用切目線ｋ2 による切込線Ｐにより設けた押込板１ａと、前記裏面板３に、上面板１０を連設する折目ｄ上の適宜なる二点ｎ、ｎを結ぶ開封用切目線ｏ2 による切込線Ｑと、該二点ｎ、ｎ間の外側に折目ｄに沿って開封用切目線ｏ3 による切込線Ｒとにより、開封蓋板３ａ、８、１０による開封蓋板Ｃが設けられている。
【００４５】
そして、図９（ａ）に示す該箱体Ｂ内には、図１（ａ）、図３（ａ）と同様に蒸気抜き開口用密封シールが施された電子レンジ加熱用密封袋Ａが、その蒸気抜き開口用密封シール部１６の蒸気抜き開口方向を、該箱体Ｂの上面板８、１０の方向に向けて封入されている。
【００４６】
電子レンジにて加熱する際には、図９（ａ）に示す該箱体Ｂは、図９（ｂ）に示すように、開封用切目線ｏ2 による切目線Ｑと、開封用切目線ｏ3 による切目線Ｒを切り破り、開封蓋板３ａ、１０、８による開封蓋板Ｃを半開きに開封するとともに、開封用切目線ｋ2 による切目線Ｐを切り破り、押込板１ａを折目ｄを介して箱体Ｂ内に押し込み、電子レンジ内に装填する。
【００４７】
電子レンジによる加熱により前記密封袋Ａは、その内圧により膨張するとともに蒸気抜き開口用密封シール部１６が開口して、該シール部１６から蒸気ａが噴出する。その際に、蒸気ａは押込板１ａと開封蓋板Ｃ（３ａ、１０、８）に当たり、箱体Ｂの開封部分より外側に放出、飛散する蒸気ａの勢いが抑制される。
【００４８】
＜実施例４＞
図１０は、本発明における箱体Ｂの組み立て用ブランクシートの実施例４における展開図であり、正面板１と、該正面板１の両端に各々側面板２、２と、一方の該側面板２の一端に裏面板３と、該裏面板３の一端に貼着板４とが、折目ａ、ａ、ｂ、ｂを介してそれぞれ連設されている。前記正面板１、裏面板３の各々下端に、折目ｃ、ｃを介してそれぞれ底面板５、７と、その各々上端に、折目ｄ、ｄを介してそれぞれ上面板８、１０と、各々側面板２、２の各々下端に、折目ｅ、ｅを介してそれぞれ底部フラップ板６、６と、その各々上端に、折目ｆ、ｆを介してそれぞれ上部フラップ板９、９とが連設されている。
【００４９】
正面板１、各々側面板２、２、裏面板３、貼着板４を、各折目を介して同一方向に折り曲げ、最外端にある側面板２と貼着板４とを重ね合わせ貼着して四角形偏平筒状体を形成する。続いて、前記下部フラップ板６、６と、上部フラップ板９、９とを、折目ｅ、ｆを介して筒状体の内側に折り込んだ後、それぞれ底面板５、７と、上面板８、１０とを、各折目ｃ、ｄを介して筒状体の内側に折り込み、前記底面板５、７の重ね合わせ面と、前記上面板８、１０の重ね合わせ面を貼着して、図４（ａ）に示すような偏平矩形状の箱体Ｂが組み立てられる。
【００５０】
このようにして、図１０に示す箱体Ｂのブランクシートから組み立てられた図４（ａ）に示す偏平矩形状の箱体Ｂには、図１０に示すように、前記正面板１の上端部寄り領域に、上面板８に平行に正面板１の両側折目ａ、ａ上の二点ｉ、ｉを結ぶ折目線ｊを設けてあ
る。また、前記上面板８には、その上面板８の上端縁の適宜なる二点ｇ、ｇと、該上面板８を連設する折目ｄ上の適宜なる二点ｈ、ｈとをそれぞれ結ぶ二本の開封用切目線ｋ1 と、前記正面板１には、前記二点ｈ、ｈと両側折目ａ、ａ上の二点ｉ、ｉとをそれぞれ結ぶ二本の開封用切目線ｋ2 を設けてあり、前記上面板１０には、前記二点ｇ、ｇと二点ｈ、ｈとを結ぶ開封用切目線ｋ1 、ｋ1 と整合する前記上面板１０の上端縁の二点ｍ、ｍと折目ｄ上の二点ｎ、ｎとを結ぶ開封用切目線ｏ1 、ｏ1 を設けてあり、また前記上面板１０の折目ｄ上の二点ｎ、ｎを結ぶ開封用切目線ｏ2 が、その折目ｄ上に設けてある。
【００５１】
そして、図４（ａ）に示す該箱体Ｂ内には、図３（ａ）に示すように、蒸気抜き開口用密封シールが施された電子レンジ加熱用密封袋Ａが、その蒸気抜き開口用密封シール部１６の蒸気抜き開口方向を、該箱体Ｂの上面板８、１０の方向に向けて封入されている。
【００５２】
電子レンジにて加熱する際には、図４（ａ）に示す箱体Ｂの前記上面板１０の折目ｄ上又は裏面板３の上面板１０寄り領域に設けた開封用切目線ｏ2 による切目線Ｑと、整合した二本の開封用切目線ｋ1 、ｏ1 と、二本の開封用切目線ｋ2 とによる切目線Ｐを切り破り、正面板１の折目線ｊを介して、開封蓋板１０ａ、８ａによる開封蓋板Ｃを開封し、図３（ｂ）、図４（ｂ）に示すように、開封蓋板Ｃを半開きに開封して、電子レンジ内に装填する。
【００５３】
電子レンジによる加熱により前記密封袋Ａは、その内圧により膨張して蒸気抜き開口用密封シール部１６が開口して、該シール部１６から蒸気ａが噴出する。その際に、蒸気ａは開封蓋板Ｃ（１０ａ、８ａ）に当たり、箱体Ｂの開封部分より外側に放出、飛散する蒸気ａの勢いが抑制される。
【００５４】
なお、図１０に示す実施例４の組み立て用ブランクシートにおいては、上面板８を連設する折目ｄ上の適宜なる各々二点ｈ、ｈ（二本の開封用切目線ｋ1 とｋ2 の連続する点）、又は／及び、正面板１の両側折目ａ、ａ上の二点ｉ、ｉまで伸びる二本の開封用切目線ｋ1 、ｋ2 による切込線Ｐの末端の各々二点ｉ、ｉに、水平に短い切込線ｔを設けることができる。
【００５５】
＜実施例５＞
図１０において、上記実施例４における箱体Ｂの組み立て用ブランクシートの前記上面板１０の折目ｄ上の二点ｎ、ｎを結ぶ開封用切目線ｏ2 が、前記二点ｎ、ｎより前記裏面板３の上端部寄り領域に亘って形成され、開封蓋板３ａ、１０ａ、８ａにより開封蓋板Ｃが形成され、蒸気ａは、開封蓋板Ｃ（３ａ、１０ａ、８ａ）に当たり、箱体Ｂの開封部分より外側に放出、飛散する蒸気ａの勢いが抑制される。それ以外は、上記実施例４と同様である。
【００５６】
＜実施例６＞
図１１は、本発明における箱体Ｂの組み立て用ブランクシートの実施例６における展開図であり、正面板１と、該正面板１の両端に各々側面板２、２と、一方の該側面板２の一端に裏面板３と、該裏面板３の一端に貼着板４とが、折目ａ、ａ、ｂ、ｂを介してそれぞれ連設されている。前記正面板１、裏面板３の各々下端に、折目ｃ、ｃを介してそれぞれ底面板５、７と、その各々上端に、折目ｄ、ｄを介してそれぞれ上面板８、１０と、各々側面板２、２の各々下端に、折目ｅ、ｅを介してそれぞれ底部フラップ板６、６と、その各々上端に、折目ｆ、ｆを介してそれぞれ上部フラップ板９、９とが連設されている。
【００５７】
正面板１、各々側面板２、２、裏面板３、貼着板４を、各折目を介して同一方向に折り曲げ、最外端にある側面板２と貼着板４とを重ね合わせ貼着して、四角形偏平筒状体が形成される。続いて、前記下部フラップ板６、６と上部フラップ板９、９とを各折目ｅ、ｆ
を介して筒状体の内側に折り込んだ後、それぞれ底面板５、７と上面板８、１０とを各折目ｃ、ｄを介して筒状体の内側に折り込み、前記底面板５、７の重ね合わせ面と、前記上面板８、１０の重ね合わせ面を貼着して、図１２（ａ）に示すような偏平矩形状の箱体Ｂが組み立てられる。
【００５８】
このようにして組み立てられた箱体Ｂの前記正面板１の上端部寄り領域内には、図１０に示すように、折目ｄに平行に二点ｉ、ｉを結ぶ折目線ｊと、前記正面板１の折目ｄ両端のそれぞれ二点ｈ、ｈと前記二点ｉ、ｉ（少なくとも二点ｈ、ｈの間隔より狭い）とを結ぶ二本の対向する開封用切目線ｋ2 、ｋ2 による切目線Ｐと、それぞれ前記二点ｉ、ｉから正面板１の下端部領域に達するそれぞれ押罫（折目線）ｒ、ｒが設けられ、前記裏面板３には、上面板１０の折目ｄ上の二点ｎ、ｎを結ぶ開封用切目線ｏ2 による切目線Ｑと、該二点ｎ、ｎ間の外側に折目ｄに沿う開封用切目線ｏ3 による切目線Ｒが設けられ、偏平矩形状の箱体Ｂの開封蓋板３ａ、１０、８、１ａが形成される。また、裏面板３には、その両側の折目ｂ、ｂから裏面板３の幅の約１／４程度内側の位置に、必要に応じて押罫（折目線）ｓ、ｓが形成されている。
【００５９】
そして、該箱体Ｂ内には、図３（ａ）に示すように、蒸気抜き開口用密封シールが施された電子レンジ加熱用密封袋Ａが、その蒸気抜き開口用密封シール部１６の蒸気抜き開口方向を、該箱体Ｂの上面板８、１０の方向に向けて封入されている。
【００６０】
電子レンジにて加熱する際には、図１２（ａ）に示す箱体Ｂの前記裏面板３の上面板１０寄り領域に設けた開封用切目線ｏ2 による切目線Ｑと、上面板１０の折目ｄ上の開封用切目線ｏ3 による切目線Ｒと、正面板１の二本の開封用切目線ｋ2 による切目線Ｐとを切り破り、図１２（ｂ）に示すように、正面板１の折目線ｊを介して開封蓋板３ａ、１０、８、１ａによる開封蓋板Ｃを半開きに開封して、電子レンジ内に装填する。
【００６１】
電子レンジによる加熱により箱体Ｂ内の前記密封袋Ａは、その内圧により膨張して蒸気抜き開口用密封シール部１６が開口して、該シール部１６から蒸気ａが噴出する。その際に、蒸気ａは開封蓋板Ｃ（３ａ、１０、８、１ａ）に当たり、箱体Ｂの開封部分より外側に放出、飛散する蒸気ａの勢いが抑制される。また、加熱された密封袋Ａの膨張により、箱体Ｂの正面板１、裏面板３に外側への不規則な湾曲応力が掛かった際には、正面板１、裏面板３は、前記押罫（折目線）ｒ、ｒ、ｓ、ｓに沿って折れ曲がり易く、その湾曲応力を規則的な屈曲力に変換して箱体Ｂの歪みを緩和する。
【図面の簡単な説明】
【００６２】
【図１】（ａ）〜（ｂ）は本発明の電子レンジ加熱用密封包装袋包装用箱の一実施の形態を説明する側断面図。
【図２】（ａ）〜（ｂ）は本発明の電子レンジ加熱用密封包装袋包装用箱の一実施の形態を説明する全体斜視図。
【図３】（ａ）〜（ｂ）は本発明の電子レンジ加熱用密封包装袋包装用箱の他の実施の形態を説明する側断面図。
【図４】（ａ）〜（ｂ）は本発明の電子レンジ加熱用密封包装袋包装用箱の他の実施の形態を説明する全体斜視図。
【図５】（ａ）は本発明の電子レンジ加熱用密封包装袋包装用箱の箱体に収納包装するための偏平状の密封包装袋Ａの一例を説明する側断面図、（ｂ）はその平面図。
【図６】本発明の電子レンジ加熱用密封包装袋包装用箱における箱体Ｂの組み立て用ブランクシートの実施例１における展開図。
【図７】本発明の電子レンジ加熱用密封包装袋包装用箱における箱体Ｂの組み立て用ブランクシートの実施例２における展開図。
【図８】本発明の電子レンジ加熱用密封包装袋包装用箱における箱体Ｂの組み立て用ブランクシートの実施例３における展開図。
【図９】（ａ）は本発明の電子レンジ加熱用密封包装袋包装用箱の実施例４を説明する全体斜視図、（ｂ）はその側断面図。
【図１０】本発明の電子レンジ加熱用密封包装袋包装用箱における箱体Ｂの組み立て用ブランクシートの実施例４、５における展開図。
【図１１】本発明の電子レンジ加熱用密封包装袋包装用箱における箱体Ｂの組み立て用ブランクシートの実施例６における展開図。
【図１２】（ａ）は本発明の電子レンジ加熱用密封包装袋包装用箱の実施例６を説明する全体斜視図、（ｂ）はその側断面図。
【図１３】従来の電子レンジ加熱用密封包装袋の平面図。
【符号の説明】
【００６３】
Ａ…偏平状の密封包装袋Ａ
Ｂ…箱体
Ｃ…開封蓋板
Ｐ、Ｑ、Ｒ、Ｒ1 …切目線
１…正面板
２…側面板
３…裏面板
４…貼着板
５、７…底面板
６、９…フラップ板
８、１０…上面板
１１…軟包材
１３…ボトムシール部
１４…上部開口部
１５…サイドシール部
１６…蒸気抜き開口用密封シール部
【図１】
0004826341.tif 000002
【図２】
0004826341.tif 000003
【図３】
0004826341.tif 000004
【図４】
0004826341.tif 000005
【図５】
0004826341.tif 000006
【図６】
0004826341.tif 000007
【図７】
0004826341.tif 000008
【図８】
0004826341.tif 000009
【図９】
0004826341.tif 000010
【図１０】
0004826341.tif 000011
【図１１】
0004826341.tif 000012
【図１２】
0004826341.tif 000013
【図１３】
0004826341.tif 000014